(57)【要約】【課題】照明が不要な作業時に照明装置が邪魔になることを抑制し、作業性を向上させることができる卓上切断機を提供する。【解決手段】卓上丸鋸１は、被加工部材２を上部に載置可能なベース３と、作業者が把持する運搬ハンドル２２と丸鋸刃１７とを有する丸鋸部１２をベース３の上方で上下に揺動可能に支持するホルダ９と、を有する本体部と、本体部の内部に引き出し可能に収容されるフレキシブルチューブと、フレキシブルチューブの本体部から引き出される引き出し側の端部に設けられる発光部２７と、を有するライト２５を備える。【選択図】図１
2012086294.tif 000002
【特許請求の範囲】
【請求項１】
被加工部材を上部に載置可能なベース部と、作業者が把持するハンドルと回転刃とを有する切断部を前記ベース部の上方で上下に揺動可能に支持する揺動支持部と、を有する本体部と、
該本体部の内部に引き出し可能に収容される引出部と、該引出部の前記本体部から引き出される引き出し側の端部に設けられる発光部と、を有する照明装置と、を備える、
ことを特徴とする卓上切断機。
【請求項２】
前記照明装置の前記引出部が、前記ハンドルの内部に形成された収容部に収容される、
ことを特徴とする請求項１に記載の卓上切断機。
【請求項３】
前記引出部が収容状態から引き出されたことを検出する引出状態検出装置と、
該引出状態検出装置により前記引出部が引き出されたことを検出すると、前記発光部を点灯させる点灯制御装置と、をさらに備える、
ことを特徴とする請求項１または２に記載の卓上切断機。
【請求項４】
前記照明装置の引出部が、屈曲自在である、
ことを特徴とする請求項１乃至３のいずれか１項に記載の卓上切断機。
【請求項５】
前記ベース部は、前記ベース部の上に回動軸周りに回転可能に設けられるターンテーブル部を有し、
前記揺動支持部は、前記ターンテーブル部に揺動可能に接続される、
ことを特徴とする請求項１乃至４のいずれか１項に記載の卓上切断機。
【発明の詳細な説明】
【技術分野】
【０００１】
本発明は、卓上切断機、特に照明装置を備えた卓上切断機に関する。
【背景技術】
【０００２】
例えば、特許文献１に示すように、卓上切断機の回転刃を上下に揺動させるハンドル部分の近傍に、先端に発光部が設けられたフレキシブルチューブを有する照明装置を取付けたものがある。
【先行技術文献】
【特許文献】
【０００３】
【特許文献１】特開２００７−２２９８９１号公報
【発明の概要】
【発明が解決しようとする課題】
【０００４】
ところで、特許文献１の卓上切断機では、照明装置が常に外部に露出しているため、明るい場所での切断作業時や運搬時等照明を必要としない場合に、照明装置が邪魔にならないようフレキシブルチューブを曲げて照明装置の位置を調整する必要があり作業性が悪いという課題がある。
【０００５】
本発明は、上記課題に鑑みてなされたものであり、照明が不要な作業時に照明装置が邪魔になることを抑制し、作業性を向上させることができる卓上切断機を提供することを目的とする。
【課題を解決するための手段】
【０００６】
上記目的を達成するために、本発明にかかる卓上切断機は、
被加工部材を上部に載置可能なベース部と、作業者が把持するハンドルと回転刃とを有する切断部を前記ベース部の上方で上下に揺動可能に支持する揺動支持部と、を有する本体部と、
該本体部の内部に引き出し可能に収容される引出部と、該引出部の前記本体部から引き出される引き出し側の端部に設けられる発光部と、を有する照明装置と、を備える、
ことを特徴とする。
【０００７】
また、前記照明装置の前記引出部が、前記ハンドルの内部に形成された収容部に収容されてもよい。
【０００８】
さらに、前記引出部が収容状態から引き出されたことを検出する引出状態検出装置と、
該引出状態検出装置により前記引出部が引き出されたことを検出すると、前記発光部を点灯させる点灯制御装置と、をさらに備えてもよい。
【０００９】
また、前記照明装置の引出部が、屈曲自在であってもよい。
【００１０】
さらに、前記ベース部は、前記ベース部の上に回動軸周りに回動可能に設けられるターンテーブル部を有し、
前記揺動支持部は、前記ターンテーブル部に揺動可能に接続されてもよい。
【発明の効果】
【００１１】
本発明によれば、卓上切断機は、本体部の内部に引き出し可能に収容される引出部と該引出部の前記本体部から引き出される引き出し側の端部に設けられる発光部とを有する照明装置を備えるので、照明が不要な場合には照明装置を本体内部に収容することができ、照明装置が作業の邪魔になることを抑制し、作業性を向上させることができる。
【図面の簡単な説明】
【００１２】
【図１】本発明に係る卓上切断機の側面図。
【図２】図１の正面図。
【図３】ライトを引き出した状態の図１に対応する図。
【図４】図２のＩＶ−ＩＶ線断面図。
【図５】図１の卓上切断機の制御回路図。
【図６】ライトを引き出した状態の図４に対応する図。
【発明を実施するための形態】
【００１３】
以下、本発明の第１実施形態を添付の図１乃至図５に沿って説明する。図１、図２に示すように、卓上丸鋸（卓上切断機）１は、床面に設置されて上面に木材等の被加工部材２を担持するベース（ベース部）３を備える。ベース３には、ベース３に対してテーブル回動軸４を中心に回動可能にターンテーブル５が取付けられる。また、ベース３には、被加工部材２の側面を支持するフェンス６が設けられる。ターンテーブル５の図１中の右端近傍にはターンテーブル５を回転させる際に作業者が把持するターンテーブル回転ハンドル７が設けられる。また、ターンテーブル５の後端（図１中の左端）には、テーブル回転軸４と略直角に設けられる傾動軸８を中心に、ターンテーブル５に対して図２に矢印Ａで示す左右方向に傾動可能にホルダ（揺動支持部）９が取付けられる。ホルダ９の傾動軸８近傍の端部には、ターンテーブル５に対してホルダ９を所望の傾動角度で固定するクランプレバー１０が設けられる。また、ホルダ９の傾動軸８から離れた側（図の上方）の端部近傍には、傾動軸８と略直角に設けられる揺動軸１１を中心にターンテーブル５の上面で上下方向（図１に矢印Ｂで示す左右方向）に揺動可能に丸鋸部（切断部）１２が取付けられる。図２に示すように、ホルダ９には突起部１３が設けられるとともに、ターンテーブル５には、ホルダ９が傾動した際の突起部１３の移動軌跡上に位置する所定の位置にストッパボルト１４が設けられる。そして、突起部１３がストッパボルト１４に当接することで、ホルダ９が所定の傾動角度以上に傾動することを防止している。なお、べース３、ターンテーブル５、ホルダ９、丸鋸部１２は卓上丸鋸１の本体部を構成する。
【００１４】
ホルダ９と丸鋸部１２間には、丸鋸部１２をターンテーブル５の上面から離れる方向（図１の上方）に付勢するスプリング１５が設けられる。そして、丸鋸部１２には、被加工部材２を切断するための鋸軸１４を中心に回転する円板上の丸鋸刃１７（回転刃）と、丸鋸刃１７を駆動するモータ１８を収容するモータハウジング１９と、丸鋸刃１７の外周縁の略半分を覆う鋸刃カバー２０と一体に形成されたモータ１８の出力を鋸軸１６に伝達するギヤを収容するギヤケース２１と、作業者が卓上丸鋸１を運搬する際に把持する運搬ハンドル２２と、丸鋸部１２をターンテーブル５に向けて揺動させる際に作業者が把持する揺動ハンドル２３が設けられる。揺動ハンドル２３には、モータ１８の回転、停止を制御するためのトリガスイッチ２４が設けられる。また、運搬ハンドル２２には、ライト（照明装置）２５が運搬ハンドル２２の内部からライト２５の一部を引き出し可能に取付けられる。なお、図１、図２はライト２５が収容された（縮んだ）状態を示したもので、図３はライト２５が引き出された（伸びた）状態を示している。
【００１５】
図３に示すように、ライト２５は、運搬ハンドル２２の内部に引き出し可能に収容される屈曲自在の中空円筒状のフレキシブルチューブ（引出部）２６と、運搬ハンドル２２から突出するようフレキシブルチューブ２６の先端に設けられる発光部２７とから構成される。なお、フレキシブルチューブ２６を屈曲させた場合、フレキシブルチューブ２６はその屈曲した状態を維持する。図４に示すように、運搬ハンドル２２の内部には、フレキシブルチューブ２６を収容する収容部２８が形成される。収容部２８はフレキシブルチューブ２６の外径より僅かに大きい内径を有する穴であり、フレキシブルチューブ２６が収容部２８にスライド可能に収容される。なお、フレキシブルチューブ２６は収容部２８と常に接触しており、フレキシブルチューブ２６を引き出した際には、任意の引き出し位置でフレキシブルチューブ２６は収容部２８との摩擦により静止する。また、運搬ハンドル２２の内部には、フレキシブルチューブ２６内を通って発光部２７に電力を供給する電源コード２９が設けられる。さらに、収容部２８には、フレキシブルチューブ２６を収容した状態のフレキシブルチューブ２６の発光部２７と反対側の端部近傍に、フレキシブルチューブ２６が収容状態か引き出された状態にあるかを検出するスイッチ（引出状態検出装置、点灯制御装置）３０が設けられる。
【００１６】
図５に示すように、卓上丸鋸の内部に収容される制御回路３１のスイッチ３０は、フレキシブルチューブ２６を収容した状態、つまり、図４に示す状態では、フレキシブルチューブ２６の側面に当接し、スイッチ３０の接点が閉じてＯＮの状態となる。スイッチ３０がＯＮの状態では、電源供給装置３２からケーブル３３、スイッチ３０、ケーブル３４を経て電源供給装置３２に戻る閉回路を構成し、ライトの発光部２７には電力の供給がされず、発光部２７は消灯する。フレキシブルチューブ２６が引き出された状態、つまり図６に示す状態では、スイッチ３０は、フレキシブルチューブ２６の側面への当接が解除されてＯＦＦの状態となる。スイッチ３０がＯＦＦの状態では、図５に示すように、電源供給装置３２から、ケーブル３４、スイッチ３０、ケーブル３６、発光部２７、ケーブル３５を経て電源供給装置３２に戻る回路を構成し、ライトの発光部２７に電源供給装置３２からの電力が供給され、発光部２７が点灯する。なお、ケーブル３５、３６は図４、図６における電源コード２９を構成する。また、制御回路３１には、上述の発光部２７への電力供給のほかに、トリガスイッチ２４の操作に応じて、モータ１８に外部電源３７からケーブル３８を介して供給される電力を供給する制御部３９が設けられる。
【００１７】
このように構成された卓上丸鋸１によれば、作業者は、ベース３の上面に被加工部材２を載置し、揺動ハンドル２３に設けたトリガスイッチ２４を引いて、モータ１８を回転駆動させて丸鋸刃１７を回転させる。そして、作業者は、揺動ハンドル２３を握り、スプリング１５の付勢力に抗して丸鋸部１２を押し下げ、被加工部材２を切断する。被加工部材２の切断後、作業者が丸鋸部１２を持ち上げると、スプリング１５の付勢力により丸鋸部１２はもとの上方位置に復帰する。
【００１８】
暗所での作業時に被加工部材２上に引かれた墨線を見やすくするなど、作業箇所を明るくしたい場合、作業者は運搬ハンドル２２から突出しているライト２５の発光部２７を引っ張り、運搬ハンドル２２の収容部２８内に収納されているライト２５を引き出す。ライト２５が引き出されると、スイッチ３０のフレキシブルチューブ２６の側面への当接が解除され、スイッチ３０がＯＮとなり、ライト２５が点灯する。そして、作業者は、フレキシブルチューブ２６を自在に曲げることで、発光部２７を所望の方向へ向けることができる。また、作業終了後は、運搬ハンドル２２の収容部２８内にライト２５を収容することにより、スイッチ３０がフレキシブルチューブ２６の側面に当接し、スイッチ３０がＯＦＦとなり、ライト２５は消灯する。
【００１９】
卓上丸鋸１は、ベース３、ターンテーブル５、ホルダ９、丸鋸部１２とから構成される本体部の内部に引き出し可能に収容されるフレキシブルチューブ２６と、フレキシブルチューブ２６の本体部から引き出される引き出し側の端部に設けられる発光部２７とを有するライト２５と、を備える。このため、ライト２５が不必要な場合にはライト２５を本体部の内部に収容して卓上丸鋸１をコンパクトにし、ライト２５が邪魔になることを抑制することができるので、切断時や運搬時の作業性が向上するうえ、格納時に必要なスペースも抑えることができる。また、ライト２５のフレキシブルチューブ２６は、運搬ハンドル２２内に設けた収容部２８に収容されるので、運搬ハンドル２２内部のスペースを有効に活用することができ、よりコンパクトな卓上丸鋸１を提供することができる。
【００２０】
さらに、フレキシブルチューブ２６が収容状態から引き出されたことを検出するスイッチ３０により、フレキシブルチューブ２６が引き出されたことを検出すると、発光部２７が点灯する。このため、照明が必要な場合にはライト２５の発光部２７を引っ張り、フレキシブルチューブ２６を引き出す操作のみで発光部２７を点灯させることが可能となり、引出操作に加えて点灯操作を行うことが不要となり、操作性が向上する。また、フレキシブルチューブ２６を収容部２８に収容することで発光部２７は消灯するので、収容操作に加えて消灯操作を行うことが不要となり、この点からも操作性が向上する。さらに、フレキシブルチューブ２６は屈曲自在であるため、発光部２７の照射位置を所望の方向に向けることが可能となり、作業性をより向上させることができる。
【００２１】
また、本発明は上記実施形態に限定されるものでなく、その趣旨を逸脱しない範囲で種々の変更が可能である。例えば、ライト２５のフレキシブルチューブ２６を収容する収容部２８は上述のように必ずしも運搬ハンドル２２に設けられる必要は無く、例えば揺動ハンドル２３、ギヤケース２１または鋸刃カバー２０の内部あるいは、ターンテーブル５またはベース３の内部に設けてもよい。また、上述のように、スイッチ３０が発光部２７への電力の供給を直接制御する構成の他に、スイッチ３０の状態を別途設けた制御装置に入力し、制御装置により発光部２７の点灯・消灯を制御する構成としてもよい。さらに、スイッチ３０は必ずしも収容時のフレキシブルチューブ２６の発光部２７と反対側の端部近傍に配置される必要は無く、例えば収容部２８のフレキシブルチューブ２６の発光部２７側の端部近傍にスイッチ３０を配置するとともにフレキシブルチューブ２６の発光部２７側の端部近傍の側面にスイッチ３０に当接する突出部を設ける。そして、上述の場合と同様にフレキシブルチューブ２６の引出を検出するようにしてもよい。
【符号の説明】
【００２２】
１  卓上丸鋸
２  被加工部材
３  ベース
４  テーブル回転軸
５  ターンテーブル
８  傾動軸
９  ホルダ
１１  揺動軸
１２  丸鋸部
１７  丸鋸刃
１８  モータ
１９  モータハウジング
２０  鋸刃カバー
２１  ギヤケース
２２  運搬ハンドル
２３  揺動ハンドル
２４  トリガスイッチ
２５  ライト
２６  フレキシブルチューブ
２７  発光部
２８  収容部
２９  電源コード
３０  スイッチ
３１  制御回路
３２  電源供給装置
【図１】
2012086294.tif 000003
【図２】
2012086294.tif 000004
【図３】
2012086294.tif 000005
【図４】
2012086294.tif 000006
【図５】
2012086294.tif 000007
【図６】
2012086294.tif 000008